(57)【要約】【課題】画像ネットワークシステムを提供するにあたり、注文内容を表す注文情報を効率よく担当オペレータの処理端末へと割り振る。【解決手段】利用者端末１と注文を受け付けるネットセンター２と、ラボシステム３とをネットワークを介して通信可能にし、利用者端末１からネットワーク経由で送信された注文情報に応じて、ネットセンター２のＩＤ設定部３５で識別番号を設定し、ＩＤ番号に応じて、ラボシステム３の処理端末へ容易に振り分け、処理端末は画像処理を行い、商材出力を行う。【選択図】図１
2008252556.tif 000002
【特許請求の範囲】
【請求項１】
通信ネットワークを介して、利用者による利用者端末からの画像データおよび商材選択情報を含む注文情報を受け付けるセンターサーバと、
少なくとも１つ以上の処理端末と、利用者の注文に応じた製品を商材する出力部とを備えるラボシステムと、からなる画像ネットワークシステムにおいて、
前記センターサーバは、前記注文情報を解析した結果に基づき前記注文情報毎に識別番号を設定する識別番号設定部と、
該識別番号に応じて前記処理端末のいずれかに、少なくとも前記注文情報と前記画像データを振り分け送信する注文情報振り分け部とを備え、
前記ラボシステムは、前記処理端末において、前記センターサーバにより送信された前記注文情報に応じた所定の画像処理を前記画像データに施し修正画像データを作成し、
前記出力部において、前記処理端末を介して該修正画像データに基づき前記利用者の注文に応じた商材を作製することを特徴とする画像ネットワークシステム。
【請求項２】
前記注文情報は、画像テンプレート選択情報および／または文字合成の種類選択情報を含むことを特徴とする請求項１記載の画像ネットワークシステム。
【請求項３】
前記商材は、写真、マグカップ、ポストカード、カレンダー、衣類のいずれかを含むことを特徴とする請求項１または２記載の画像ネットワークシステム。
【請求項４】
前記識別番号は、特定の処理内容または処理端末を示すものであることを特徴とする請求項１から３いずれかに記載の画像ネットワークシステム。
【請求項５】
通信ネットワークを介して、利用者による利用者端末からの画像データおよび商材選択情報を含む注文情報を受け付けるセンターサーバと、
少なくとも１つ以上の処理端末と、利用者の注文に応じた商材を作製する出力部とを備えるラボシステムと、から成る画像ネットワークシステムにおける商材作成方法において、
前記センターサーバは、前記注文情報を解析した結果に基づき前記注文情報毎に識別番号を設定する工程と、
該識別番号に応じて前記処理端末のいずれかに、少なくとも前記注文情報と前記画像データを振り分け送信する工程と、
前記ラボシステムは、前記処理端末において、前記センターサーバにより送信された前記注文情報に応じた所定の画像処理を前記画像データに施し修正画像データを作成する工程と、
前記出力部において、前記処理端末を介して前記修正画像データに基づき前記利用者の注文に応じた商材を作製することを特徴とする商材作製方法。
【請求項６】
通信ネットワークを介して、利用者による利用者端末からの画像データおよび商材選択情報を含む注文情報を受け付けるセンターサーバにおいて、
前記注文情報を解析し、解析結果に基づき前記注文情報毎に識別番号を設定する識別番号設定部と、
該識別番号に応じて前記処理端末のいずれかに、少なくとも前記注文情報と前記画像データを振り分け送信する注文情報振り分け部を備えたことを特徴とするセンターサーバ。
【発明の詳細な説明】
【技術分野】
【０００１】
本発明は、通信ネットワーク上のオンライン注文に応じて、各種の商材に画像を記録する画像ネットワークシステム、商材作成方法およびそれに使用するセンターサーバに関する。
【背景技術】
【０００２】
近年では、デジタルカメラが急速に普及している。また、インターネット等の通信ネットワークも広く普及している。デジタルカメラで撮影された画像は、デジタルの画像データとして扱われるので、通信ネットワークを利用して送信可能であり、これを利用して、様々なサービスが提案なされている。
【０００３】
特許文献１では、プリントサービスの注文を受け付けるサービスセンタと各地域に点在するミニラボを、ネットワークを介することで通信可能にし、サービスセンタのセンターサーバが利用者からネットワーク経由で転送された注文情報に応じてプリント出力先のラボを選択し処理を振り分けることにより、プリント出力をセンターサーバではなく所望のラボに行わせることを可能にする。
【特許文献１】特開平１１−１５４２１８号公報
【発明の開示】
【発明が解決しようとする課題】
【０００４】
しかしながら、ラボシステムは様々な商材の注文に対応するため、複数のオペレータが処理端末をそれぞれ保有し、画像データに加工処理を行っている場合がある。その際、ラボシステムは注文を受け取った段階で、各処理端末に対し注文を振り分ける作業が発生するという問題があった。
【０００５】
本発明は、上記事情に鑑み、適切な処理端末に対し、注文を自動的に振り分け送信することが可能な画像ネットワークシステム、商材作成方法およびセンターサーバを提供することを目的とするものである。
【課題を解決するための手段】
【０００６】
本発明の画像ネットワークシステムは、通信ネットワークを介して、利用者による利用者端末からの画像データおよび商材選択情報を含む注文情報を受け付けるセンターサーバと、少なくとも１つ以上の処理端末と、利用者の注文に応じた商品を作製する出力部とを備えるラボシステムと、からなる画像ネットワークシステムにおいて、センターサーバが、注文情報を解析した結果に基づき注文情報毎に識別番号を設定する識別番号設定部と、その識別番号に応じて処理端末のいずれかに、少なくとも注文情報と画像データを振り分け送信する注文情報振り分け部とを備え、ラボシステムは、処理端末において、センターサーバにより送信された注文情報に応じた所定の画像処理を画像データに施し修正画像データを作成し、出力部において、処理端末を介して修正画像データに基づき利用者の注文に応じた商材を作製することを特徴とするものである。
【０００７】
ここで「注文情報」とは、利用者が具体的なプリント注文のサービス内容を指定する画像テンプレート選択情報および／または文字合成の種類選択情報を含む注文指示内容を意味する。
【０００８】
また「商材」とは、写真、マグカップ、ポストカード、カレンダー、衣類等を含む商品の形態の他に、画像データとして保存するＣＤ、ＤＶＤ等の記録媒体やネット上でダウンロードやメール配信可能な電子データを含むものである。
【０００９】
「識別番号」とは、画像データと注文情報を処理端末に振り分けるための数字、文字等からなるデータを意味する。
【００１０】
本発明の商材作成方法は、通信ネットワークを介して、利用者による利用者端末からの画像データおよび商材選択情報を含む注文情報を受け付けるセンターサーバと、
少なくとも１つ以上の処理端末と、利用者の注文に応じた商材を作製する出力部とを備えるラボシステムと、からなる画像ネットワークシステムにおける商材作成方法において、前記センターサーバが、注文情報を解析した結果に基づき注文情報毎に識別番号を設定する工程と、その識別番号に応じて前記処理端末のいずれかに、少なくとも注文情報と画像データを振り分け送信する工程と、前記ラボシステムは、処理端末において、センターサーバにより送信された注文情報に応じた所定の画像処理を画像データに施し修正画像データを作成する工程と、出力部において、処理端末を介して修正画像データに基づき利用者の注文に応じた商材を作製することを特徴とするものである。
【００１１】
本発明のセンターサーバは、通信ネットワークを介して、利用者による利用者端末からの画像データおよび商材選択情報を含む注文情報を受け付けるセンターサーバにおいて、注文情報を解析し、解析結果に基づき注文情報毎に識別番号を設定する識別番号設定部と、その識別番号に応じて前記処理端末のいずれかに、少なくとも注文情報と画像データを振り分け送信する注文情報振り分け部を備えたことを特徴とすることを特徴とするものである。
【発明の効果】
【００１２】
本発明の画像ネットワークシステム、商材作成方法およびセンターサーバによれば、プリントサービスの注文を受け付けるセンターサーバとラボシステムとをネットワークを介して通信可能にし、センターサーバが、利用者からネットワーク経由で送信された注文情報を解析し、解析結果に応じて注文情報毎の識別番号を設定し、識別番号に応じて画像データと注文情報を処理端末へと振り分け送信するため、ラボシステムの処理端末が複数存在する場合、適切な処理端末へ画像データと注文情報の自動送信が可能となるという効果がある。
【００１３】
また、本発明によれば、識別番号が特定の処理内容を示すものである場合には、処理端末を扱う作業オペレータが識別番号を確認することができるので、識別番号から作業内容が明確に把握でき、作業効率を向上させることができるという効果がある。
【００１４】
更に、本発明によれば、識別番号が特定の処理端末を示すものである場合には、デジタルプリントのサービス内容が多岐に亘り、処理端末を扱う作業オペレータ毎にスキルが異なったとしても、オペレータのスキルに応じて処理端末毎に対応する識別番号を設定するものであるから、よりオペレータの作業効率を向上させることができるという効果がある。
【発明を実施するための最良の形態】
【００１５】
以下、本発明の実施の形態について説明する。
【００１６】
図１は、画像ネットワークシステムのシステム構成を示す模式図である。図１に示すように、画像ネットワークシステムは、インターネット等の通信ネットワークを利用して、利用者から商材の異なる注文を受け付け、注文に応じた商材を作製し提供する。
【００１７】
本実施例の画像ネットワークシステムは、注文を受注するネットセンター２と、利用者がプリント注文などを依頼する利用者端末１と、利用者の注文に応じた商材を作製するラボシステム３と、を有して構成される。
【００１８】
また、本実施例の画像ネットワークシステムにおいては、利用者端末１、ネットセンター２、ラボシステム３は、インターネット等の通信ネットワークによって互いに接続されている。
【００１９】
なお、本発明の画像ネットワークシステムにおいては、ネットセンター２、ラボシステム３は、インターネット等の公開された通信ネットワークによって互いに接続されるが、ネットセンター２とラボシステム３とは、１つのシステムや構内で構成されるものであってもよい。ラボシステム３の一部として、ネットセンター２が構成され、ネットセンター２とラボシステム３がＬＡＮ（Ｌｏｃａｌ  Ａｒｅａ  Ｎｅｔｗｏｒｋ）等の構内通信回線で接続されてもよい。
【００２０】
利用者端末１においては、カメラ１０ａ〜１０ｃと、パソコン１５ａ〜１５ｃがＬＡＮ回線等の構内通信回線で接続され、利用者によりカメラ１０ａ〜１０ｃで撮像された画像データをパソコン１５ａ〜１５ｃに転送する。
【００２１】
また、本発明の画像ネットワークシステムにおいて、利用者端末１には、ウェブブラウザを利用する第１の利用者端末パソコン１５ａ、汎用のアプリケーションまたはウェブサイトを利用する第２の利用者端末パソコン１５ｂ、および専用の注文用アプリケーションである注文ソフトを利用する第３の利用者端末パソコン１５ｃの３種がある。
【００２２】
ウェブブラウザを利用する第１の利用者端末パソコン１５ａとは、公知のウェブブラウザを利用して、ウェブ画面を管理するオンラインプリント注文２０に接続して、ウェブ画面を利用してプリントの注文等を行うものである。
【００２３】
汎用のソフトウエアまたはウェブサイトを利用する第２の利用者端末パソコン１５ｂとは、ＰＣのオペレーティングシステムに搭載された通信ネットワークを用いるプリント注文機能、デジタルカメラに付属のアプリケーションが有する通信ネットワークを用いるプリント注文機能、通信ネットワーク上に公開ウェブに設定されたプリント注文機能などを利用して、オンラインプリント注文２０にアクセスして、プリントの注文等を行うものである。
【００２４】
さらに、専用の注文ソフトを利用する第３の利用者端末パソコン１５ｃとは、ネットセンター２で商品を注文するための専用アプリケーションである注文ソフトをインストールした計算処理装置であり、この注文ソフトを用いて、ウェブ画面を利用してオンラインプリント注文２０にアクセスして、プリントの注文等を行うものである。
【００２５】
なお、１つの利用者端末で、第１の利用者端末パソコン１５ａ、第２の利用者端末パソコン１５ｂおよび第３の利用者端末パソコン１５ｃの少なくとも１つに対応すればよい。
【００２６】
パソコン１５ａ〜１５ｃは、ネットセンター２のオンラインプリント注文２０であるウェブ画面を利用して画像データと注文情報を送信する。
【００２７】
ネットセンター２のオンラインプリント注文２０にアクセスするためのウェブ画面は、一例として、ホームページ等に、ネットセンター２にリンクするコンテンツ等を表示してもよいし、あるいは、ホームページ等を利用せずに、ネットセンター２のオンラインプリント注文２０にアクセスするためだけの専用のウェブ画面を設けてもよい。
【００２８】
データベース２５は、オンラインプリント注文２０と接続している。また、データベース２５は、例えば、利用者情報データベース３０、画像管理部３１、基本情報処理部３２、商材選択部３３、注文処理部３４、識別番号設定部３５（以下、ＩＤ設定部という）、識別番号判断部４０（以下、ＩＤ判断部４０という）、注文情報振り分け部４５によって、構成される。
【００２９】
画像管理３１は、利用者がオンラインプリント注文２０を経由して送信した画像データを管理するものである。また画像管理３１は、送信された画像データを特定する画像コード、ファイルフォーマット種別、格納ファイルサイズ、格納ファイル名、作成日を含む画像情報等を管理する。
【００３０】
基本情報管理３２は、利用者の氏名（または会社名）、住所、メールアドレス、過去の注文履歴等の情報を有する。また、オンラインプリント注文２０の利用者登録や認証のための機能を有し、利用者がオンラインプリント注文２０にアクセスする際には、会員の認証を行うことが可能である。また、基本情報管理３２では、要求または必要に応じて、基本情報を変更や更新することも可能である。
【００３１】
商材選択部３３は、ラボシステム３やネットセンター２が取り扱う商材の管理機能を提供し、利用者が注文する際の選択できる商材に関する情報を有する。例えば、写真（写真には、画像テンプレートや文字を合成したもの、更にはサイズ変更した写真等を含む）、マグカップ、ポストカード、カレンダー、衣類等が挙げられる。なお、本発明は、これらの商材に限定されるものではなく、ＣＤ（Ｃｏｍｐａｃｔ  Ｄｉｓｃ）やＤＶＤ（Ｄｉｇｔａｌ  Ｖｅｒｓａｔｉｌｅ  Ｄｉｓｋ）等の記録媒体への保存や画像データのメール配信サービス、ネット上での画像データ共有サービスであってもよい。
【００３２】
注文処理部３４とは、利用者がオンラインプリント注文２０を経由して送信された注文情報を管理する。注文情報には、画像データを記録する商材、画像テンプレートの選択、文字合成の種類選択に関する情報を有する。また、注文処理部３４は、各種商材を注文する場合には各種商材のサイズまたは個数等、商品の受け取り先（受取店）または配送先、支払い方法等の入力や指示も、必要に応じて、管理することも可能である。
【００３３】
ＩＤ設定部３５は、利用者が作成した注文情報を解析し、解析した結果に基づき注文情報毎に識別番号を設定する。利用者の注文情報には、利用者が、種々の要素（例えば、商材や画像テンプレート、文字合成等）から何種類かの所望の設定になるように選択したものがデータとして記録されている。例えば、注文情報には、商材がポストカード、画像テンプレートが３種類（Ｔ１：年賀状用、Ｔ２：出産報告用、Ｔ３：結婚報告用）、文字合成の種類が３種類（Ｍ１：文字合成１箇所、Ｍ２：文字合成２箇所、Ｍ３：文字合成無し）について記録されているとする。ＩＤ設定部３５は、各要素である商材、画像テンプレート、文字合成が注文情報に記録されているか解析する。更にＩＤ設定部３５は、解析結果に基づき、各要素の各種類に応じて、ＩＤ番号を設定する。ＩＤ設定部３５は、注文情報にＩＤ番号を付加する。
【００３４】
ＩＤ判断部４０は、ＩＤ番号が設定された注文がどの処理端末で加工処理（画像処理等）するかを示すデータベースを有し、ＩＤ設定部３５で設定されたＩＤ番号に応じて、注文情報と画像データをラボシステム３のどの処理端末に送信されるべきか判断することができる。
【００３５】
注文情報振り分け部４５は、ＩＤ判断部４０の判断結果に基づき、画像データと注文情報（識別番号を含む）を所望の処理端末５５ａ〜５５ｄに送信する。
【００３６】
ラボシステム３は、パソコンである処理端末５５ａ〜５５ｄと各種商材への印画が可能なプリンタである出力部６０ａ〜６０ｂで構成される。なお、処理端末はパソコンに限定されるものではなく、ワークステーション、サーバ機器等でもよい。
【００３７】
ラボシステム３は、この注文情報振り分け部４５を介して、画像データと注文情報を受信する。ラボシステム３では、利用者の注文に応じた製品を作製し、注文情報に応じた配送先または受取店に配送する。
【００３８】
以上、本発明の画像ネットワークサービスシステムの構成について説明したが、次にこのシステムのＩＤ番号の設定から製品が作製されるまでの処理フローについて説明する。
【００３９】
図２は、ネットセンター２のＩＤ設定部３５と、ＩＤ判断部４０、注文情報振り分け部４５が注文情報をラボシステム３に送信し、ラボシステム３の出力部６０で製品が作製されるまでを表すフローチャート図である。
【００４０】
（１）商材に画像データとテンプレートを合成するか否かの判断（ステップＳＴ１）
まず、ＩＤ設定部３５は、注文処理部３４に受信された注文情報に記録されている商材情報と画像テンプレート情報を解析し、商材に応じた画像テンプレート合成を行うか否かの解析を行う。
【００４１】
（２）テンプレート選択（ステップＳＴ２）
ＩＤ設定部３５は、商材に画像テンプレート合成を実施する場合（ステップＳＴ１；ＹＥＳ）、注文情報にどの画像テンプレートを選択するように記録されているかを解析する。
【００４２】
（３）商材画像テンプレート合成を実施しない場合（ステップＳＴ１；ＮＯ）
なお、ＩＤ設定部３５は、商材に画像テンプレート合成を実施しない場合、解析結果として、画像テンプレートおよび文字合成は行ないものと判断された上で、ＩＤの設定（ステップＳＴ４）を行うこととなる。
【００４３】
（４）文字合成の種類選択（ステップＳＴ３）
ＩＤ設定部３５は、オンラインプリント注文２０で受信した注文情報がどのような文字合成を選択したかを解析する。
【００４４】
（６）ＩＤの設定（ステップＳＴ４）
ＩＤ設定部３５は、上述した注文情報の解析結果を基に、ＩＤ番号を設定する。
【００４５】
上述したとおり、ＩＤ設定部３５では、利用者の注文情報には、種々の要素（例えば、商材や画像テンプレート、文字合成等）から何種類かの所望の設定になるように選択したものがデータとして記録されている。例えば、注文情報には、商材がポストカード、画像テンプレートが３種類（Ｔ１：年賀状用、Ｔ２：出産報告用、Ｔ３：結婚報告用）、文字合成の種類が３種類（Ｍ１：文字合成１箇所、Ｍ２：文字合成２箇所、Ｍ３：文字合成無し）について記録されているとする。ＩＤ設定部３５は、各要素である商材、画像テンプレート種、文字合成種が注文情報に記録されているか解析する。更にＩＤ設定部３５は、解析結果に基づき、各要素の各種類に応じて、ＩＤ番号を設定する。
【００４６】
図５には、注文情報に商材をポストカードとして記録された場合の設定されたＩＤ番号の例が示されている。注文情報で選択された商材、画像テンプレート、文字合成の種類を要素とし、個々の要素の組み合わせによりＩＤ番号が設定される。
【００４７】
例えば、商材がポストカードで、画像テンプレートの種類がＴ１、文字合成の種類がＭ１の場合は、ＩＤ番号０００１である。また、画像テンプレートの種類がＴ１、文字合成の種類がＭ２の場合は、ＩＤ番号０００２である。画像テンプレートの種類がＴ１、文字合成の種類がＭ３の場合は、ＩＤ番号０００３である。このように商材がポストカードである場合、画像テンプレート（３種類）、文字合成（３種類）の二つの要素が、ＩＤ番号の設定要因となる場合は、３種類と３種類の組み合わせから９パターン、それに加え画像テンプレートを組み合わせない場合（付随して文字合成も行わない）を含め、１０パターンとなる。そして、ＩＤ設定部３５は、設定されたＩＤ番号を注文情報に付加してＩＤ判断部４０に送信する。
【００４８】
なお、本発明のＩＤ番号の設定要因となる要素は、少なくとも１つ以上であればよく、各要素の種類も少なくとも１つ以上の種類があればよい。
【００４９】
ＩＤ設定部３５は、注文情報の要素と種類等を一覧データとして記録する。図５は、ＩＤ設定部３５の注文情報解析をした結果を反映した一覧データの画面例であるが、ネットセンター２のＩＤ設定部３５において、一例ではあるが、注文情報を解析した結果を、画像テンプレート、文字合成、商材、ＩＤ番号、メモという要素の項目に対し、２面台紙、右上に文字合成、マグカップ、００３０、○○様宛のように、一覧にして保存管理する。ＩＤ設定部３５は、注文情報を解析すればそれに応じて、図５のような一覧データを更新する。
【００５０】
（７）ＩＤの判断（ステップＳＴ５）
ＩＤ判断部４０は、ＩＤ設定部３５で送信されたＩＤ番号が何番であるか判断するとともに、ラボシステム３の処理端末５５ａ〜５５ｄのいずれかの処理端末に振り分けるか判断する。ＩＤ判断部４０には、ＩＤ番号に応じてどの処理端末に振り分けるべきかを記録された対応データベースを有している。対応データベースに記録されたＩＤ番号と処理端末との対応を判断することが可能となる。
【００５１】
（８）担当オペレータへ注文情報送信（ステップＳＴ６）
注文情報振り分け部４５は、ＩＤ判断部４０で送信すべきであると判断された処理端末へ、画像データおよび注文情報を送信する。その際、注文情報にＩＤ番号の情報を付加する。
【００５２】
以上、このようにネットセンター２のＩＤ設定部３５、ＩＤ判断部４０、注文情報振り分け部４５を介することで、ＩＤ番号が設定され、画像データと注文情報がラボシステム３の処理端末へと最適に送信される。
【００５３】
（９）画像処理（ステップＳＴ７）
処理端末５５ａ〜５５ｄは、注文情報振り分け部４５から、画像データと注文情報（ＩＤ番号含む）を受信し、所望の画像処理を実施する。
【００５４】
例えば、画像データと画像テンプレートの合成や、画像データと画像テンプレートを合成したデータに文字を更に合成することが可能である。また、赤目修正やＣＭＹＫの修正等のカラーマネージメントに関する処理を行うことが可能である。
【００５５】
図４は、ラボシステム３の処理端末５５ａ〜５５ｄで表示される注文処理画面の一例である。図４に示すように選択画面１３０には、３つのテンプレートがタブＴ１〜Ｔ３により選択可能とされている。また、現在選択されているベースデザインＢ１には、画像データＵ０が挿入されているとともに、デフォルトの文言および商材が文言エリア１３１および商材エリア１３４にそれぞれ挿入されている。
【００５６】
なお、処理端末が注文情報の内容を解析し、注文情報を反映した商材や文字を注文処理画面のデフォルトとして表示されるようにしてもよい。また、ＩＤ設定部３５で作成した図５のような一覧データを注文情報振り分け部４５から処理端末へ送信し、処理端末が一覧データを有してもよい。その際には、一覧データを利用して、商材や文字を注文処理画面のデフォルトとして表示されるように設定してもよい。
【００５７】
また、画像データＵ０の下方には文字合成情報エリアＡ０が設けられており、この文字合成情報エリアＡ０には、利用者が注文情報に記録した希望コメント文字の入力、編集が可能となっている。さらにベースデザインの左右には文言の一覧１３３が表示されている。また、選択を確定するための確定ボタン１３５も表示されている。
【００５８】
オペレータは注文情報を確認しながら、デフォルト文言の一覧１３３において所望とする文言をクリックして選択すると、選択した文言がベースデザインＢ１における文言エリア１３１に挿入可能である。
【００５９】
利用者が商材の一覧１３４において所望とする商材イラストをクリックして選択すると、選択した商材イラストがベースデザインＢ１に挿入される。
【００６０】
次に、オペレータによって、例えば利用者の氏名および住所などの差出人情報が利用者情報エリアＡ０に入力、編集され、表示することも可能である。
【００６１】
なお、上記のように利用者情報エリアＡ０には任意の差出人情報が入力可能であるが、注文情報を活用し、注文情報の利用者情報を表示させるようにしてもよい。
【００６２】
確定ボタン１３５ がクリックされると、レイアウトを確定し、画像データに基づき確定したレイアウトのポストカードの修正画像データを作成することが可能となる。
【００６３】
また、回送ボタン１３８がクリックされると、プリンタ又は他の処理端末へと注文情報と画像データ（修正画像データ含む）を回送することができる。この機能により、処理端末はプリンタへ修正画像データを回送する。
【００６４】
なお、処理端末は他の処理端末へと注文情報と画像データ（修正画像データ含む）を回送することが可能である。それにより、処理端末は他の処理端末と分担して作業を行うことが可能となる。
【００６５】
また、文字合成ボタン１３６をクリックすると、文字合成のパターンを変更することが可能となる。文字合成を１箇所にするかまたは、２箇所にするか、無しにするか設定することが可能となる。
【００６６】
（１０）プリント（ステップＳＴ８）
続いて、プリント注文に基づいて、確定したレイアウトのポストカードを出力部６０のプリンタ６０ａ〜６０ｂからプリント出力し、処理を終了する。
【００６７】
なお、本実施例においては、ポストカードで説明をしたが、出力部６０は、ポストカード以外の他の商材に対し、印画することが可能な装置であってもよいし、印画としての出力装置のみならず、記録媒体に画像データや注文情報、修正画像データ等を記録する装置や、ウェブ上の公開画像アルバムとして共有化できるように、画像データおよび／または修正画像データをネット上にアップロードまたはメール配信する装置であってもよい。
【図面の簡単な説明】
【００６８】
【図１】画像ネットワークシステムの機能ブロック図
【図２】注文情報を解析し、プリント出力するまでのフローチャート図
【図３】処理端末における画像処理作業画面例
【図４】注文情報と識別番号の対応図
【図５】注文情報解析後のデータ一覧
【符号の説明】
【００６９】
１      利用者端末
２      ネットセンター
３      ラボシステム
１５ａ      パソコン（その１）
１５ｂ      パソコン（その２）
１５ｃ      パソコン（その３）
１５ｄ      パソコン（その４）
２０      オンラインプリント注文
２５      データベース
３４      注文処理部
３５      ＩＤ設定部
４０      ＩＤ判断部
４５      注文情報振り分け部
５５ａ    処理端末（その１）
５５ｂ    処理端末（その２）
５５ｃ    処理端末（その３）
５５ｄ    処理端末（その４）
６０      出力部
６０ａ    プリンタ（その１）
６０ｂ    プリンタ（その２）
【図１】
2008252556.tif 000003
【図２】
2008252556.tif 000004
【図３】
2008252556.tif 000005
【図４】
2008252556.tif 000006
【図５】
2008252556.tif 000007